(57)【特許請求の範囲】
【請求項１】
複数の間仕切パネルを、各間仕切パネルと同方向を向く横連結杆をもって互いに連結するとともに、複数の間仕切パネルが平面視において所要の角度をもって交わるコーナー部において、複数の間仕切パネルの隣接する端部間に形成される空隙を、第１のコーナーカバーをもって閉塞するようにした間仕切装置において、
前記コーナー部における複数の横連結杆の隣接する端部間に形成される空隙を、下端が前記第１のコーナーカバーの上端と係合し、かつ両側の上端部が前記横連結杆の隣接する端部に係合するようにした第２のコーナーカバーをもって閉塞するようにしたことを特徴とする間仕切装置。
【請求項２】
コーナー部において、２個の間仕切パネル及び横連結杆を互いに直角をなすように連結し、かつ第２のコーナーカバーを、前記２個の横連結杆の外側面とほぼ同一面をなし、かつ互いに直角に交わる１対の閉塞片と、両閉塞片の下端に連設され、かつ第１のコーナーカバーの上端と係合する下片と、前記各閉塞片の遊端上部に連設され、かつ互いに隣接する前記横連結杆の端部の少なくとも一部に上方から跨嵌する係合部とを有するものとした請求項１記載の間仕切装置。
【請求項３】
コーナー部において、３個の間仕切パネル及び横連結杆を互いにＴ字状をなすように連結し、かつ第２のコーナーカバーを、互いにほぼ１８０度の関係をなして対向する２個の横連結杆の外側面とほぼ同一面をなす単一の閉塞片と、この閉塞片の下端に連設され、かつ第１のコーナーカバーの上端と係合する下片と、前記閉塞片の両側端上部に連設され、前記対向する２個の横連結杆の端部の少なくとも一部に上方から跨嵌する係合部とを有するものとした請求項１記載の間仕切装置。
【請求項４】
第２のコーナーカバーの下端と、第１のコーナーカバーの上端とのいずれか一方に突起を、かつ他方に前記突起が嵌合する係合孔を設けた請求項１〜３のいずれかに記載の間仕切装置。
【発明の詳細な説明】
【０００１】
【発明の属する技術分野】
本発明は、複数の間仕切パネルを順次連結して室内を仕切るようにした間仕切装置に関し、特に、そのコーナー部のコーナーカバーの取付構造に関する。
【０００２】
【従来の技術】
例えば、本出願人の特許出願に係る特開２０００−３３６８０８号公報には、複数の間仕切パネルがＬ字状またはＴ字状等に交わるコーナー部において、各間仕切パネルの互いに隣接する端部間に形成される空隙を、コーナーカバーにより閉塞し得るようにした構成が開示されている。
【０００３】
その要点を、図７〜図１０を参照して簡単に説明すると、上記公報に記載されているものは、複数の間仕切パネル(１)の各側端を、連結具(２)の外周面につき当てて、ボルト(３)をもって連結することにより、２枚の間仕切パネル(１)がＬ字状に交わるコーナー部(Ｘ)、及び３枚の間仕切パネル(１)がＴ字状等に交わるコーナー部(Ｙ)等を形成し、各コーナー部(Ｘ)(Ｙ)において、複数の間仕切パネル(１)の互いに隣接する端部間に形成される空隙(Ｚ)を、１個または２個のコーナーカバー(４)をもって閉塞するようにしている。
【０００４】
各コーナーカバー(４)は、垂直をなす閉塞片(4a)の両側端に、互いに同方向に向かって平面視において４５°等の鋭角に折曲形成された折曲片(4b)(4b)を、連結具(２)の外周面に形成された上下方向を向くスリット(５)に差し込むことにより保持され、Ｌ字状のコーナー部(Ｘ)においては、閉塞片(4a)が隣接する両間仕切パネル(１)の外側面とほぼ整合するようにした２個のコーナーカバー(４)をもって、またＴ字状のコーナー部(Ｙ)においては、閉塞片(4a)がほぼ１８０°の関係をなして互いに対向する２個の間仕切パネル(１)の両外側面とほぼ整合するようにした１個のコーナーカバー(４)をもって、それぞれ空隙(Ｚ)の外側を閉塞するようにしている。
【０００５】
【発明が解決しようとする課題】
近年、本出願人においては、複数の間仕切パネルを、各間仕切パネルと同方向を向く横連結杆をもって、平面視方形枠状を基本形とする閉ループ状に連結することにより、全間仕切パネルが、床面にアンカーしなくても、倒れないようにした間仕切装置を提供している(例えば、特願２０００−３３５１３１号)。
【０００６】
このような間仕切装置においては、上述と同様のＬ字状またはＴ字状のコーナー部において、複数の横連結杆の隣接する端部間にも、間仕切パネル(１)間の空隙(Ｚ)と同様の空隙が生じる。
【０００７】
このような横連結杆間の空隙を閉塞するには、上記の間仕切パネル(１)間の空隙(Ｚ)を閉塞する１個または２個のコーナーカバー(４)を上方に延長し、その延長部で閉塞することが考えられる。
【０００８】
しかし、このようにすると、コーナーカバー(４)を、間仕切パネル(１)間の空隙(Ｚ)のみを閉塞する短寸のものと、横連結杆間の空隙をも閉塞しうる長寸のものとの２種類のものを用意しなければならないという問題がある。
【０００９】
本発明は、上記のような問題点に鑑み、コーナー部における横連結杆間に形成される空隙を、簡単な構成で、迅速かつ確実に閉塞することができ、もって外観をよくすることができるようにした間仕切装置を提供することを目的としている。
【００１０】
【課題を解決するための手段】
本発明によると、上記の課題は、次のようにして解決される。
(１) 複数の間仕切パネルを、各間仕切パネルと同方向を向く横連結杆をもって互いに連結するとともに、複数の間仕切パネルが平面視において所要の角度をもって交わるコーナー部において、複数の間仕切パネルの隣接する端部間に形成される空隙を、第１のコーナーカバーをもって閉塞するようにした間仕切装置において、前記コーナー部における複数の横連結杆の隣接する端部間に形成される空隙を、下端が前記第１のコーナーカバーの上端と係合し、かつ両側の上端部が前記横連結杆の隣接する端部に係合するようにした第２のコーナーカバーをもって閉塞する。
【００１１】
(２) 上記(１)項において、コーナー部において、２個の間仕切パネル及び横連結杆を互いに直角をなすように連結し、かつ第２のコーナーカバーを、前記２個の横連結杆の外側面とほぼ同一面をなし、かつ互いに直角に交わる１対の閉塞片と、両閉塞片の下端に連設され、かつ第１のコーナーカバーの上端と係合する下片と、前記各閉塞片の遊端上部に連設され、かつ互いに隣接する前記横連結杆の端部の少なくとも一部に上方から跨嵌する係合部とを有するものとする。
【００１２】
(３) 上記(１)項において、コーナー部において、３個の間仕切パネル及び横連結杆を互いにＴ字状をなすように連結し、かつ第２のコーナーカバーを、互いにほぼ１８０度の関係をなして対向する２個の横連結杆の外側面とほぼ同一面をなす単一の閉塞片と、この閉塞片の下端に連設され、かつ第１のコーナーカバーの上端と係合する下片と、前記閉塞片の両側端上部に連設され、前記対向する２個の横連結杆の端部の少なくとも一部に上方から跨嵌する係合部とを有するものとする。
【００１３】
(４) 上記(１)〜(３)項のいずれかにおいて、第２のコーナーカバーの下端と、第１のコーナーカバーの上端とのいずれか一方に突起を、かつ他方に前記突起が嵌合する係合孔を設ける。
【００１４】
【発明の実施の形態】
図１〜図３は、本発明の第１の実施形態を示す。
なお、この実施形態においては、図７〜図１０に示す従来の構成要素と同一の構成要素をそのまま備えており、それらについては同一の符号をもって図示するに止め、詳細な説明は省略する(後述する第２の実施形態においても同じ)。
【００１５】
この例では、Ｌ字状のコーナー部(Ｘ)において、互いにほぼ直角をなすようにして連結具(２)に連結された２枚の間仕切パネル(１)の上端に、それらと同方向を向く横連結杆(６)が、適宜の連結金具(図示略)をもって固着され、両横連結杆(６)の互いに隣接する端部同士は、平面視Ｌ字状の連結金具(７)と止めねじ(８)とをもって互いに連結されている。
【００１６】
各横連結杆(６)は、角管(6a)の両側面に、上方に向かって突出する１対の上向突条(6b)と、奥部が上下方向に拡幅する上下２段のレール溝(6c)(6d)とを有する金属または合成樹脂材料の引抜き材により形成されている。
【００１７】
コーナー部(Ｘ)において、互いに隣接する２個の間仕切パネル(１)間に形成される空隙(Ｚ)は、第１のコーナーカバーである２枚のコーナーカバー(４)をもって上記と同様にして閉塞され、その上方において、互いに隣接する２個の横連結杆(６)の端部間に形成される空隙(Ｚ')は、下端がコーナーカバー(４)の上端と係合し、かつ両側の上端部が、互いに隣接する横連結杆(６)の端部に係合するようにした第２のコーナーカバー(９)をもって閉塞されている。
【００１８】
コーナーカバー(９)は、互いに隣接する２個の横連結杆(６)の外側面とほぼ同一面をなし、かつ互いに直角に交わる１対の閉塞片(10)と、両閉塞片(10)の下端に連設され、かつ内方(空隙(Ｚ')の中心方向)に向かって水平に延出する下片(11)と、両閉塞片(10)の上端に連設され、かつ内方に向かって水平に延出する上片(12)とを備えている。
【００１９】
下片(11)の下面には、その下方における２枚のコーナーカバー(４)の上端に連設された内向きの上片(4c)の両側部に穿設した係合孔(13)にそれぞれ嵌合する複数の尖先状の突起(14)が設けられている。
この例では、この突起(14)が第１のコーナーカバー(４)の上端と係合する係合部をなしているが、突起(14)をコーナーカバー(４)の上片(4c)に設け、それに係合する係合孔を下片(11)に設けて、これを第１のコーナーカバー(４)の上端と係合する係合部としたり、またはその他の係合手段を係合部としてもよい。
【００２０】
コーナーカバー(９)の上片(12)の下面における各閉塞片(10)の遊端部に近接した部分には、各閉塞片(10)と平行をなす下向きの突片(15)が突設されており、この突片(15)と、閉塞片(10)と、それらの上端同士を架橋する上片(12)の一部とにより、各横連結杆(６)の互いに隣接する端部における外側の上向突条(6b)に跨嵌する係合部(16)が形成されている。
【００２１】
コーナーカバー(９)は、その両閉塞片(10)の遊端部が、互いに隣接する横連結杆(６)の端部の外側面に当接し、下端の各突起(14)が、対応するコーナーカバー(４)の上片(4c)の係合孔(13)に嵌合し、かつ係合部(16)が、各横連結杆(６)の互いに隣接する端部における外側の上向突条(6b)に跨嵌するようにして、コーナー部(Ｘ)に装着され、空隙(Ｚ')の外側面を閉塞して、空隙(Ｚ')が外部に露呈するのを防止している。
【００２２】
図４〜図６は、本発明の第２の実施形態を示す。
この例では、Ｔ字状のコーナー部(Ｙ)において、互いにほぼ直角をなすようにして連結具(２)に連結された３枚の間仕切パネル(１)の上端に、それらと同方向を向く横連結杆(６)が、適宜の連結金具(図示略)をもって固着され、それらの横連結杆(６)の互いに隣接する端部同士は、平面視Ｔ字状の連結金具(17)と止めねじ(18)とをもって互いにＴ字状に連結されている。
【００２３】
各横連結杆(６)は、第１の実施形態のものと同一で、角管(6a)の両側面に、上方に向かって突出する１対の上向突条(6b)と、奥部が上下方向に拡幅する上下２段のレール溝(6c)(6d)とを有する金属または合成樹脂材料の引抜き材により形成されている。
【００２４】
コーナー部(Ｙ)において、互いに隣接する３個の間仕切パネル(１)間に形成される空隙(Ｚ)は、第１のコーナーカバーである１枚のコーナーカバー(４)をもって上記と同様にして閉塞され、その上方において、互いに隣接する３個の横連結杆(６)の端部間に形成される空隙(Ｚ')は、下端がコーナーカバー(４)の上端と係合し、かつ両側の上端部が、互いにほぼ１８０度の関係をなして対向する２個の横連結杆(６)の隣接する端部に係合するようにした第２のコーナーカバー(19)をもって閉塞されている。
【００２５】
コーナーカバー(19)は、互いにほぼ１８０度の関係をなして対向する２個の横連結杆(６)の外側面とほぼ同一面をなす単一の閉塞片(20)と、この閉塞片(20)の下端に連設され、かつ内方(空隙(Ｚ')の中心方向)に向かって水平に延出する下片(21)と、閉塞片(20)の上端に連設され、かつ内方に向かって水平に延出する上片(22)と、閉塞片(20)の内面、下片(21)及び上片(22)を互いに連結する上下方向を向く左右１対のリブ(23)とを備えている。
【００２６】
下片(21)の下面には、その下方におけるコーナーカバー(４)の上端に連設された内向きの上片(4c)の両側部に穿設した係合孔(24)にそれぞれ嵌合する複数の尖先状の突起(25)が設けられている。
この例では、この突起(25)は、第１のコーナーカバー(４)の上端と係合する係合部をなしているが、突起(25)をコーナーカバー(４)の上片(4c)に設け、それに係合する係合孔を下片(21)に設けて、これを第１のコーナーカバー(４)の上端と係合する係合部としたり、またはその他の係合手段を係合部としてもよい。
【００２７】
コーナーカバー(19)の上片(22)の下面における閉塞片(20)の両端部に近接した部分には、閉塞片(20)と平行をなす下向きの突片(26)が突設されており、この突片(26)と、閉塞片(20)と、それらの上端同士を架橋する上片(22)の一部とにより、ほぼ１８０度の関係をなして対向する２個の横連結杆(６)の互いに隣接する端部における外側の上向突条(6b)に跨嵌する係合部(27)が形成されている。
【００２８】
コーナーカバー(19)は、その閉塞片(20)の両端部が、ほぼ１８０度の関係をなして対向する２個の横連結杆(６)の端部の外側面にそれぞれ当接し、下端の各突起(25)が、対応するコーナーカバー(４)の上片(4c)の係合孔(13)に嵌合し、かつ係合部(27)が、各横連結杆(６)の互いに対向する端部における外側の上向突条(6b)に跨嵌するようにして、コーナー部(Ｙ)に装着され、空隙(Ｚ')の外側面を閉塞して、空隙(Ｚ')が外部に露呈するのを防止している。
【００２９】
本発明は、上記の実施形態以外の形態でも実施することができる。
例えば、第１の実施形態において、コーナーカバー(９)の２個の閉塞片(10)を４分の１円弧状のものとしたり、第１の実施形態において、第２の実施形態におけるリブ(23)と同様のリブを、各突起(14)の直上に位置するように配設したりして実施することもできる。
また、本発明は、複数の間仕切パネル(１)及び横連結杆(６)が、９０度以外の交差角度をもって交わるコーナー部にも適用できることはいうまでもない。
【００３０】
【発明の効果】
請求項１記載の発明によると、第２のコーナーカバーを、第１のコーナーカバーの上端と、互いに隣接する横連結杆の端部とにそれぞれ係合させるだけで、コーナー部における横連結杆間に形成される空隙を、簡単、迅速かつ確実に閉塞することができ、もって外観をよくすることができる。
【００３１】
請求項２記載の発明によると、互いに直角に交わる１対の閉塞片を有する単一の第２のコーナーカバーを装着するだけで、Ｌ字状のコーナー部における横連結杆間の空隙の２面を同時に閉塞できるので、構造をさらに簡素化でき、組付け作業を簡単かつ迅速に行うことができる。
【００３２】
請求項３記載の発明によると、第２のコーナーカバーの構造をさらに簡素化することができる。
【００３３】
請求項４記載の発明によると、第１のコーナーカバーと第２のコーナーカバーとの係合部分の構造を簡素化し、製造コストの低減を図ることができる。
【図面の簡単な説明】
【図１】本発明の第１の実施形態におけるＬ字状のコーナー部の分解斜視図である。
【図２】同じく、Ｌ字状のコーナー部の平面図である。
【図３】図２のIII−III線に沿う縦断面図である。
【図４】本発明の第２の実施形態におけるＴ字状のコーナー部の分解斜視図である。
【図５】同じく、そのコーナーカバーを裏側から見た斜視図である。
【図６】同じく、Ｔ字状のコーナー部の縦断面図である。
【図７】従来の間仕切装置の外観斜視図である。
【図８】同じく、そのＬ字状のコーナー部の拡大平面図である。
【図９】同じく、そのＬ字状のコーナー部の拡大斜視図である。
【図１０】同じく、そのＴ字状のコーナー部の拡大平面図である。
【符号の説明】
(１)間仕切パネル
(２)連結具
(３)ボルト
(４)コーナーカバー(第１のコーナーカバー)
(4a)閉塞片
(4b)折曲片
(4c)上片
(５)スリット
(６)横連結杆
(6a)角管
(6b)上向突条
(6c)(6d)レール溝
(７)連結金具
(８)止めねじ
(９)コーナーカバー(第２のコーナーカバー)
(10)閉塞片
(11)下片
(12)上片
(13)係合孔
(14)突起(係合部)
(15)突片
(16)係合部
(17)連結金具
(18)止めねじ
(19)コーナーカバー(第２のコーナーカバー)
(20)閉塞片
(21)下片
(22)上片
(23)リブ
(24)係合孔
(25)突起(係合部)
(26)突片
(27)係合部
(Ｘ)(Ｙ)コーナー部
(Ｚ)(Ｚ')空隙
【図１】
0004365051.tif 000002
【図２】
0004365051.tif 000003
【図３】
0004365051.tif 000004
【図４】
0004365051.tif 000005
【図５】
0004365051.tif 000006
【図６】
0004365051.tif 000007
【図７】
0004365051.tif 000008
【図８】
0004365051.tif 000009
【図９】
0004365051.tif 000010
【図１０】
0004365051.tif 000011